(57)【特許請求の範囲】
【請求項１】
補強繊維が埋設された継手本体と、その両側に連接される補強繊維が埋設された取り付け部とをゴム材料により一体的に形成し、前記両取り付け部を、隣接する構造物に取付け手段を介して締付け固定して成る伸縮止水継手において、前記取り付け部の構造物側の取付け面に、取付け手段を挟んで凸状部をそれぞれ一体的に形成し、該取付け手段を中心として、構造物の対面側に埋設する補強繊維の量を、取付け手段の外側に埋設する補強繊維の量よりも少なくして、前記構造物の対面側に位置する凸状部の圧縮剛性を、取付け手段の外側に設けた凸状部の圧縮剛性よりも小さく構成したことを特徴とする伸縮止水継手。
【請求項２】
補強繊維が埋設された継手本体と、その両側に連接される補強繊維が埋設された取り付け部とをゴム材料により一体的に形成し、前記両取り付け部を、隣接する構造物に取付け手段を介して締付け固定して成る伸縮止水継手において、前記取り付け部の構造物側の取付け面に、取付け手段を挟んで凸状部をそれぞれ一体的に形成し、該取付け手段を中心として、構造物の対面側に位置する凸状部の数を、取付け手段の外側に設けた凸状部の数より少なく形成して、前記構造物の対面側に位置する凸状部の圧縮剛性を、取付け手段の外側に設けた凸状部の圧縮剛性よりも小さく構成したことを特徴とする伸縮止水継手。
【請求項３】
補強繊維が埋設された継手本体と、その両側に連接される補強繊維が埋設された取り付け部とをゴム材料により一体的に形成し、前記両取り付け部を、隣接する構造物に取付け手段を介して締付け固定して成る伸縮止水継手において、前記取り付け部の構造物側の取付け面に、取付け手段を挟んで凸状部をそれぞれ一体的に形成し、該取付け手段を中心として、構造物の対面側に位置する取り付け部側のゴム硬度を、取付け手段の外側に位置する取り付け部側のゴム硬度より小さくして、前記構造物の対面側に位置する凸状部の圧縮剛性を、取付け手段の外側に設けた凸状部の圧縮剛性よりも小さく構成したことを特徴とする伸縮止水継手。
【発明の詳細な説明】
【０００１】
【産業上の利用分野】
この発明は、伸縮止水継手にかかわり、更に詳しくは、例えば、沈埋トンネル用二次止水に用いる伸縮止水継手の改良に関するものである。
【０００２】
【従来の技術】
従来、構造物としての沈埋トンネルのエレメント１ａ，１ｂの継ぎ目部には、図３に示すような一次止水用のゴムガスケット２の他、エレメント１ａ，１ｂの内側に、二次止水用の伸縮止水継手３が取り付けられている。
この二次止水用の伸縮止水継手３は、補強繊維４が埋設された継手本体５と、その両側に連接される補強繊維４が埋設された取り付け部６ａ，６ｂとがゴム等の可撓性材料により一体的に形成され、固定座金板７及びボルト８等の取付け手段を介してエレメント１ａ，１ｂに締付け固定されている。
【０００３】
ところで、上記のような伸縮止水継手３は、図４に示すように取り付け部６ａ，６ｂが固定座金板７及びボルト８等の取付け手段を介してエレメント１ａ，１ｂに締付け固定され、前記取り付け部６ａ，６ｂの圧縮変形によって水密性を保持するものである。
【０００４】
【発明が解決しようとする問題点】
然しながら、上記のように構成される伸縮止水継手３は、外部からの水圧Ｐが大きくなると、ゴム等の可撓性材料により構成された継手本体５が伸ばされ、結果として取り付け部６ａ，６ｂの肉厚が薄くなり、取り付け部６ａ，６ｂの内側が継手本体５側に引き込まれてしまうため、高圧では水密性を保持することが出来ず、低圧（４Kgf/cm2以下）でのみしか使用できなかった。
【０００５】
また、取り付け部６ａ，６ｂの内側が継手本体５側に引き込まれてしまうことを防止するため、図５に示すように、取り付け部６ａ，６ｂの端末部に、固定座金板７の端面と係止させるビード部９を埋設した複雑な構造としたり、また図６に示すように、取り付け部６ａ，６ｂと固定座金板７との間に高価な押さえ金具１０等を用いて取り付け部６ａ，６ｂの内側が継手本体５側に引き込まれないように構成していた。
【０００６】
この発明は、かかる従来の課題に着目して案出されたもので、外部からの水圧によって取り付け部の内側が継手本体側に引き込まれることがなく、簡単で安価な構造で水密性を保持することが出来、また高圧の場所でも使用することが出来る伸縮止水継手を提供することを目的とするものである。
【０００７】
【課題を解決するための手段】
この発明は上記目的を達成するため、三つの提案をするもので、第一の発明は、取り付け部の構造物側の取付け面に、取付け手段を挟んで凸状部をそれぞれ一体的に形成し、該取付け手段を中心として、構造物の対面側に埋設する補強繊維の量を、取付け手段の外側に埋設する補強繊維の量よりも少なくして、前記構造物の対面側に位置する凸状部の圧縮剛性を、取付け手段の外側に設けた凸状部の圧縮剛性よりも小さく構成したことを要旨とするものである。
【０００８】
第二の発明は、取り付け部の構造物側の取付け面に、取付け手段を挟んで凸状部をそれぞれ一体的に形成し、該取付け手段を中心として、構造物の対面側に位置する凸状部の数を、取付け手段の外側に設けた凸状部の数より少なく形成して、前記構造物の対面側に位置する凸状部の圧縮剛性を、取付け手段の外側に設けた凸状部の圧縮剛性よりも小さく構成したことを要旨とするものである。
【０００９】
第三の発明は、取り付け部の構造物側の取付け面に、取付け手段を挟んで凸状部をそれぞれ一体的に形成し、該取付け手段を中心として、構造物の対面側に位置する取り付け部側のゴム硬度を、取付け手段の外側に位置する取り付け部側のゴム硬度より小さくして、前記構造物の対面側に位置する凸状部の圧縮剛性を、取付け手段の外側に設けた凸状部の圧縮剛性よりも小さく構成したことを要旨とするものである。
【００１０】
さらに、前記取付け手段を固定座金板または押圧座金板を介在したボルトにより構成し、この固定座金板または押圧座金板を、取付け手段の外側から構造物側の取付け面側に向かって肉厚となるテーパ状に形成したり、前記取付け手段を中心として、構造物の対面側に位置する凸状部の力の作用点までの距離を、取付け手段の外側に設けた凸状部の力の作用点までの距離より短く形成したりすることも可能である。
【００１１】
【作用】
この発明は、上記のように構成され、構造物の対面側に位置する凸状部の圧縮剛性を、取付け手段の外側に設けた凸状部の圧縮剛性よりも小さく構成することで、外部からの水圧によって取り付け部の内側が継手本体側に引き込まれることがなく、従来品より高圧での使用が可能となり、更に簡単な構造で目的を達成出来るので安価に製造出来るものである。
【００１２】
【発明の実施例】
以下、添付図面に基づきこの発明の実施例を説明する。
なお、従来例と同一構成要素は、同一符号を付して説明は省略する。
図１は、この発明の第１実施例を示す伸縮止水継手３の取り付け部６ａ，６ｂの拡大断面図を示し、前記取り付け部６ａ，６ｂの構造物Ｗ側の取付け面１１には、固定座金板７及びボルト８等の取付け手段を挟んで凸状部１２ａ，１２ｂがそれぞれ一体的に形成され、継手本体５と取り付け部６ａ，６ｂとには、補強繊維４が埋設されている。
【００１３】
前記、取付け手段を挟んで構造物Ｗの対面側に位置する凸状部１２ａの圧縮剛性は、取付け手段の外側に設けた凸状部１２ｂの圧縮剛性よりも小さく構成してあり、この第１実施例では、前記取付け手段を中心Ｏとして、構造物Ｗの対面側に埋設する補強繊維４の量を、取付け手段の外側に埋設する補強繊維４の量よりも少なくしてある。また、補強布の厚さに差を設けることも可能である。
【００１４】
また、この他に前記取付け手段を中心Ｏとして、構造物Ｗの対面側に位置する凸状部１２ａの力の作用点までの距離Ｌ1 が、取付け手段の外側に設けた凸状部１２ｂの力の作用点までの距離Ｌ2 より短く形成することでも圧縮剛性に変化を持たせることは可能である。更に、伸縮止水継手３をゴム製とした上で、前記取付け手段を中心Ｏとして、構造物Ｗの対面側に位置する取り付け部側のゴム硬度を、取付け手段の外側に位置する取り付け部側のゴム硬度より小さくすることが可能である。また、取付け手段を中心Ｏとして、構造物Ｗの対面側に位置する凸状部１２ａの数を、取付け手段の外側に設けた凸状部１２ｂの数より少なく形成することによっても圧縮剛性に変化を持たせることは可能である。
【００１５】
また、図２はこの発明の応用例を示す伸縮止水継手３の取り付け部６ａ，６ｂの拡大断面図を示し、この実施例は、継手本体５の両側に設けられた取り付け部６ａ，６ｂを隣接する構造物Ｗに取付け手段の固定座金板７と押圧座金板７ａとで締付け固定するもので、押圧座金板７ａを、取付け手段の外側から構造物Ｗ側の取付け面側に向かって肉厚ｔとなるテーパ状に形成することによって、取付け手段により構造物Ｗに対して取り付け部６ａ，６ｂを締付け固定すると、取り付け部６ａ，６ｂはクサビ効果によって変形し、更に継手本体５の内側から内圧Ｐが加わって取り付け部６ａ，６ｂの内側が継手本体５側に引き込まれると、クサビ効果によって取り付け部６ａ，６ｂの中心側が更に圧縮されて、止水効果が更に大きくなるものである。
【００１６】
以上のように、構造物Ｗの対面側に位置する凸状部１２ａの圧縮剛性を、取付け手段の外側に設けた凸状部１２ｂの圧縮剛性よりも小さく構成することで、外部からの水圧Ｐによって取り付け部の内側が継手本体側３に引き込まれることがなく、従来品より高圧での使用が可能となり、更に簡単な構造で目的を達成出来るので安価に製造出来るものである。また、構造物Ｗの対面側に位置する凸状部１２ａの長さを、取付け手段の外側に設けた凸状部１２ｂの長さより短く形成することによっても圧縮剛性に変化を持たせることは可能である。
【００１７】
【発明の効果】
この発明は、上記のように取り付け部の構造物側の取付け面に、取付け手段を挟んで凸状部をそれぞれ一体的に形成し、前記構造物の対面側に位置する凸状部の圧縮剛性を、取付け手段の外側に設けた凸状部の圧縮剛性よりも小さく構成したので、外部からの水圧によって取り付け部の内側が継手本体側に引き込まれることがなく、簡単で安価な構造で水密性を保持することが出来、また高圧の場所でも使用することが出来、更に耐久性を向上させることが出来る効果がある。
【図面の簡単な説明】
【図１】この発明の第１実施例を示す伸縮止水継手の取り付け部の拡大断面図である。
【図２】  この発明の応用例を示す伸縮止水継手の取り付け部の拡大断面図である。
【図３】従来の沈埋トンネルのセグメントシール部の断面図である。
【図４】従来の止水継手の取り付け部の拡大断面図である。
【図５】従来の他の止水継手の取り付け部端部の側面図である。
【図６】従来の他の止水継手の取り付け部の拡大断面図である。
【符号の説明】
１ａ，１ｂ  沈埋トンネルのセグメント      ２  ゴムガスケット
３  伸縮止水継手                  ４  補強繊維
５  継手本体              ６ａ，６ｂ  取り付け部
７  固定座金板                  ７ａ  押圧座金板
８  ボルト                      １１  取り付け部取付け面
１２ａ，１２ｂ  凸状部                    Ｗ  構造物
Ｏ  取付け手段を中心
【図１】
0003666919.tif 000002
【図２】
0003666919.tif 000003
【図３】
0003666919.tif 000004
【図４】
0003666919.tif 000005
【図５】
0003666919.tif 000006
【図６】
0003666919.tif 000007